(57)【要約】【課題】構造の複雑化やコストアップを招かず、セキュリティレベルを保ったまま複数の情報端末の間で簡単な操作によりデータのコピー、ペーストができる情報端末システムを提供する。【解決手段】第１の情報端末装置は、第１の情報端末装置とは別体で、第１の情報端末装置を特定するための端末情報を記憶する端末情報記憶手段を有し、第２の情報端末装置は、端末情報記憶手段に記憶された端末情報を取得する端末情報取得手段を有することを特徴とする情報端末システム。【選択図】図１
2009230495.tif 000002
【特許請求の範囲】
【請求項１】
第１の表示画面と該第１の表示画面に表示された情報上の位置または範囲を指定する第１の入力手段とを備える第１の情報端末装置と、
第２の表示画面と該第２の表示画面に表示された情報上の位置または範囲を指定する第２の入力手段とを備える第２の情報端末装置と、
を有する情報端末システムにおいて、
前記第１の情報端末装置は、
前記第１の情報端末装置とは別体で、前記第１の情報端末装置を特定するための端末情報を記憶する端末情報記憶手段を有し、
前記第２の情報端末装置は、
前記端末情報記憶手段に記憶された前記端末情報を取得する端末情報取得手段を有することを特徴とする情報端末システム。
【請求項２】
前記第１の入力手段と第２の入力手段は、
それぞれタッチパネルを含み、
前記端末情報記憶手段は、
前記タッチパネルを操作するためのスタイラスペンに設けられていることを特徴とする請求項１に記載の情報端末システム。
【請求項３】
前記第２の情報端末装置は、
前記第２の入力手段により指定された範囲のコピーデータを記憶する第２クリップバッファと、
前記第２クリップバッファに記憶された前記コピーデータを、前記端末情報取得手段が取得した前記端末情報に基づいて特定した前記第１の情報端末装置に送信する第２のデータ送信手段と、
を有し、
前記第１の情報端末装置は、
前記コピーデータを受信する第１のデータ受信手段と、
前記第１のデータ受信手段が受信した前記コピーデータを前記第１の入力手段により指定された位置にペーストする第１のペースト手段と、
を有することを特徴とする請求項１または２に記載の情報端末システム。
【請求項４】
前記第１の情報端末装置は、
前記第１の入力手段により指定された範囲のコピーデータを記憶する第１クリップバッファと、
送信要求信号を受信する送信要求信号受信手段と、
前記送信要求信号受信手段が前記送信要求信号を受信すると前記第１クリップバッファに記憶された前記コピーデータを送信する第１のデータ送信手段と、
を有し、
前記第２の情報端末装置は、
前記端末情報取得手段が取得した前記端末情報に基づいて特定した前記第１の情報端末装置に前記送信要求信号を送信する送信要求信号送信手段と、
前記第１のデータ送信手段が送信した前記コピーデータを受信する第２のデータ受信手段と、
前記第２のデータ受信手段が受信した前記コピーデータを前記第２の入力手段により指定された位置にペーストする第２のペースト手段と、
を有することを特徴とする請求項１または２に記載の情報端末システム。
【発明の詳細な説明】
【技術分野】
【０００１】
本発明は、情報端末システムに関する。
【背景技術】
【０００２】
従来、コンピュータや電子ブック、ＰＤＡ（Ｐｅｒｓｏｎａｌ  Ｄｉｇｉｔａｌ  Ａｓｓｉｓｔａｎｔ）などの複数の情報端末の間でデータをやりとりする場合は、データを記憶媒体にコピーして相手側の情報端末に渡したり、電子メールに添付して送信するなどの手段がとられていた。
【０００３】
このような方法は手順が多く時間がかかるため、直感的で簡単な操作で複数の情報端末の間でデータをやりとりする方法が望まれている。例えば、スタイラスペンにメモリと無線通信手段などを設け、スタイラスペンによって情報端末の画面で選択したデータを該メモリにコピーし、別の情報端末の画面のスタイラスペンによって選択した位置にペーストする方法が提案されている（特許文献１参照）。
【０００４】
また、複数の通信端末の入力装置として使用する電子ペンを共通化し、電子ペンに記憶されているペン識別情報を予め通信端末で読み取り、同一のペン識別情報を読みとった通信端末間でカット操作を行った通信端末のデータをペーストする方法が提案されている（特許文献２参照）。
【０００５】
さらに、指示ペンを用いてタブレットの上に置かれたデータパンフレットの所定位置を指示した後、モニタ画面に触れると対応するデータを読み出してモニタ画面上に表示するデータ表示装置が提案されている（特許文献３参照）。
【特許文献１】米国特許第６５６３４９４号明細書
【特許文献２】特開平６−５２１０４号公報
【特許文献３】特開平１１−４５１４９号公報
【発明の開示】
【発明が解決しようとする課題】
【０００６】
しかしながら、特許文献１に開示されている方法では、スタイラスペン自体にデータを記憶するメモリが必要であり、構造の複雑化やコストアップを招くという問題があった。また、スタイラスペンのメモリにデータを記憶するため、スタイラスペンを紛失した場合に情報が漏洩するおそれがあった。
【０００７】
また、特許文献２に開示されている方法では、データをやりとりする前に電子ペンに記憶されているペン識別情報を予め通信端末で読み取らせて通信端末をグループ化しておく必要があり、操作が面倒であった。
【０００８】
特許文献３に開示されている方法は、データ表示装置に接続されたタブレットとモニタ間のデータ送受信に適用されるものであり、複数の情報端末間でデータをやりとりする場合に必要なデータを送受信する情報端末を特定する方法は開示されていない。
【０００９】
本発明は、上記課題に鑑みてなされたものであって、構造の複雑化やコストアップを招かず、セキュリティレベルを保ったまま複数の情報端末の間で簡単な操作によりデータのコピー、ペーストができる情報端末システムを提供することを目的とする。
【課題を解決するための手段】
【００１０】
本発明の目的は、下記構成により達成することができる。
【００１１】
１．
第１の表示画面と該第１の表示画面に表示された情報上の位置または範囲を指定する第１の入力手段とを備える第１の情報端末装置と、
第２の表示画面と該第２の表示画面に表示された情報上の位置または範囲を指定する第２の入力手段とを備える第２の情報端末装置と、
を有する情報端末システムにおいて、
前記第１の情報端末装置は、
前記第１の情報端末装置とは別体で、前記第１の情報端末装置を特定するための端末情報を記憶する端末情報記憶手段を有し、
前記第２の情報端末装置は、
前記端末情報記憶手段に記憶された前記端末情報を取得する端末情報取得手段を有することを特徴とする情報端末システム。
２．
前記第１の入力手段と第２の入力手段は、
それぞれタッチパネルを含み、
前記端末情報記憶手段は、
前記タッチパネルを操作するためのスタイラスペンに設けられていることを特徴とする１に記載の情報端末システム。
３．
前記第２の情報端末装置は、
前記第２の入力手段により指定された範囲のコピーデータを記憶する第２クリップバッファと、
前記第２クリップバッファに記憶された前記コピーデータを、前記端末情報取得手段が取得した前記端末情報に基づいて特定した前記第１の情報端末装置に送信する第２のデータ送信手段と、
を有し、
前記第１の情報端末装置は、
前記コピーデータを受信する第１のデータ受信手段と、
前記第１のデータ受信手段が受信した前記コピーデータを前記第１の入力手段により指定された位置にペーストする第１のペースト手段と、
を有することを特徴とする１または２に記載の情報端末システム。
４．
前記第１の情報端末装置は、
前記第１の入力手段により指定された範囲のコピーデータを記憶する第１クリップバッファと、
送信要求信号を受信する送信要求信号受信手段と、
前記送信要求信号受信手段が前記送信要求信号を受信すると前記第１クリップバッファに記憶された前記コピーデータを送信する第１のデータ送信手段と、
を有し、
前記第２の情報端末装置は、
前記端末情報取得手段が取得した前記端末情報に基づいて特定した前記第１の情報端末装置に前記送信要求信号を送信する送信要求信号送信手段と、
前記第１のデータ送信手段が送信した前記コピーデータを受信する第２のデータ受信手段と、
前記第２のデータ受信手段が受信した前記コピーデータを前記第２の入力手段により指定された位置にペーストする第２のペースト手段と、
を有することを特徴とする１または２に記載の情報端末システム。
【発明の効果】
【００１２】
本発明によれば、コピーデータをクリップバッファに記憶した情報端末装置は、送信先の情報端末装置から端末情報を取得し、取得した端末情報に基づいてコピーデータを送信する。したがって、構造の複雑化やコストアップを招かず、セキュリティレベルを保ったまま複数の情報端末の間で簡単な操作によりデータのコピー、ペーストができる情報端末システムを提供できる。
【発明を実施するための最良の形態】
【００１３】
以下、図面に基づき本発明の実施形態を説明する。
【００１４】
まず、本発明の実施形態について、図１を用いて説明する。
【００１５】
図１は、本発明の実施形態に係る情報端末システムの全体構成の一例を示すブロック図である。
【００１６】
本発明の情報端末システムは例えば、第１の情報端末装置１と第２の情報端末装置２などから構成されている。図１は、２台の第１の情報端末装置１と１台の第２の情報端末装置２から構成される情報端末システムの例であるが、第１の情報端末装置１、第２の情報端末装置２の数は特に制約はなく１台以上であれば良い。本実施形態では必要に応じて２台の第１の情報端末装置１をａ、ｂを付けて区別する。
【００１７】
第１の情報端末装置１は、例えばＰＤＡや電子ブック、ノート型パーソナルコンピュータであり、例えばＩＥＥＥ  ８０２．１１ｂ／ｇ等で規格化されている無線ＬＡＮなどを用いて通信を行う図１には図示せぬ通信手段を有している。
【００１８】
第１の情報端末装置１は表示部１９を有し、画像や文字などのデータを表示する。表示部１９には例えば液晶が用いられるが、メモリ性を有する例えばカイマルネマチック液晶等を用いると消費電力を低減することができるので、長時間の表示が可能になる。
【００１９】
また、表示部１９の上層はタッチパネルから成る入力部１８になっている。ユーザは、入力部１８への入力操作により、画面上の位置または領域を指定し、画像や文字などを含む文書データの入力や描画データの入力、コピーする文書データの指定やペーストする位置の指定を行う。また、データの送受信、表示されている文書のページ送りなどの操作を行う。
【００２０】
入力部１８への入力操作はスタイラスペン３０を用いても良いし、直接指などで入力部１８を操作しても良い。表示部１９には、コピーボタン３４、ペーストボタン３５が表示され、コピーボタン３４、ペーストボタン３５にそれぞれ相当する位置の入力部１８に触れることにより入力操作を行う。表示部１９は本発明の第１の表示画面、入力部１８は、本発明の第１の入力手段である。なお、入力部１８はタッチパネルに限定されるものではなく、操作ボタンとキーにより入力操作を行う操作部３２や、図示せぬマウスやトラックボールを用いて入力操作を行っても良い。
【００２１】
第１の情報端末装置１については、後に詳しく説明する。
【００２２】
第２の情報端末装置２は、例えば電子ホワイトボードやパーソナルコンピュータであり、ＩＥＥＥ  ８０２．１１ｂ／ｇ等で規格化されている無線ＬＡＮや、Ｅｔｈｅｒｎｅｔ（登録商標）や電話回線などで通信を行う通信手段を有している。電子ホワイトボードは、コンピュータからの映像を大型の画面で表示させ、しかも、画面に指などで触れることによってコンピュータを操作することのできる情報端末装置である。
【００２３】
図１では、ネットワーク５を介して第１の情報端末装置１と第２の情報端末装置２がＥｔｈｅｒｎｅｔ（登録商標）などで通信を行う例を示している。ネットワーク５は、図１には図示せぬルータやハブで構成されている。なお、本発明はこの例に限定されるものではなく、例えば、第２の情報端末装置２と第１の情報端末装置１は無線通信手段を備え、無線アクセスポイント１２を介して第２の情報端末装置２と第１の情報端末装置１が通信しても良い。
【００２４】
第２の情報端末装置２は、液晶パネルなどから成る表示部２１９を有し、画像や文字などのデータを表示する。また、表示部２１９の表面はタッチパネルから成る入力部２１８になっている。ユーザは、入力部２１８への入力操作により、画面上の位置または領域を指定し、画像や文字などを含む文書データの入力や手書きによるストロークデータの入力、コピーする文書データの指定やペーストする位置の指定を行う。また、データの送受信、表示されている文書のページ送りなどの操作を行う。
【００２５】
入力部２１８への入力操作はスタイラスペン２３０を用いても良いし、直接指などで入力部２１８を操作しても良い。表示部２１９には、コピーボタン２３４、ペーストボタン２３５が表示され、コピーボタン２３４、ペーストボタン２３５にそれぞれ相当する位置の入力部２１８をタップすることにより入力操作を行う。表示部２１９は本発明の第２の表示画面、入力部２１８は、本発明の第２の入力手段である。なお、入力部２１８はタッチパネルに限定されるものではなく、図示せぬマウスやトラックボールを用いて入力操作を行っても良い。
【００２６】
第２の情報端末装置２についても後に詳しく説明する。
【００２７】
図２は、本発明の実施形態に係る第１の情報端末装置１の内部構成の一例を示すブロック図である。
【００２８】
第１の情報端末装置１は、全体を制御するＣＰＵ１１、ユーザが入力と操作を行う入力部１８、無線ＬＡＮなどで通信を行う送信部２４と受信部２５を備えた無線通信部１０、スタイラスペン３０などから構成されている。また、第１の情報端末装置１は、画像や文字を表示する表示部１９、および図示せぬＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）などから構成される記憶部１３を備えている。
【００２９】
記憶部１３は、例えばＯＳ（オペレーティングシステム）、制御用プログラム、文書作成アプリケーション等のプログラムを記憶しており、ＣＰＵ１１がこれらのプログラムを実行する。記憶部１３は、コピー＆ペーストをする際に入力部１８により指定された領域の文書、画像、ストロークデータなどの各種データを記憶するクリップバッファ１５を備えている。このクリップバッファ１５は、プログラムの実行により記憶部１３に設定されるものである。このようなクリップバッファは、米国マイクロソフト社のＷｉｎｄｏｗｓ（登録商標）ＸＰオペレーションシステムや同社のＯｆｆｉｃｅ（登録商標）パッケージなどで実用化されているので、その構成を採用することが可能である。
【００３０】
ＣＰＵ１１は、送信要求信号受信部５０、データ送信部５１、送信要求信号送信部５２、データ受信部５３、ペースト部５４、操作検知部５５としての機能を実現する。なお、これらの機能ブロックはＣＰＵ１１によるプログラムの実行によって実現されるものである。
【００３１】
クリップバッファ１５は本発明の第１クリップバッファ、送信要求信号受信部５０は本発明の送信要求信号受信手段、データ送信部５１は本発明の第１のデータ送信手段、送信要求信号送信部５２は本発明の送信要求信号送信手段である。データ受信部５３は本発明の第１のデータ受信手段、ペースト部５４は本発明の第１のペースト手段である。
【００３２】
送信要求信号受信部５０は、クリップバッファ１５に記憶されたコピーデータの送信を要求する送信要求信号を受信部２５を介して受信する。データ送信部５１は、クリップバッファ２１５のデータを送信部２４から送信する。送信要求信号送信部５２は、ペーストするデータの送信を要求する送信要求信号を送信部２４から送信する。
【００３３】
データ受信部５３は、受信部２５を介してデータを受信する。操作検知部５５は、入力部１８の出力する信号からユーザの各種操作を検知する。ペースト部５４は、データ受信部５３が受信したデータを操作検知部２５５の検知した入力操作に基づいて指定された個所にペーストする。このようなペースト部は、米国マイクロソフト社のＷｉｎｄｏｗｓ（登録商標）ＸＰオペレーションシステムや同社のＯｆｆｉｃｅ（登録商標）パッケージなどで実用化されているので、その構成を採用することが可能である。
【００３４】
第１の情報端末装置１には、その第１の情報端末装置１を他の情報端末装置１、または第２の情報端末装置２と識別するための固有の端末情報が製造時に割り当てられており、端末情報はＲＦＩＤタグ部１０８に記憶されている。ＲＦＩＤタグ部１０８は、本実施形態では図２のように第１の情報端末装置１に付属するスタイラスペン３０に内蔵されている。ＲＦＩＤタグ部１０８は、必ずしもスタイラスペン３０に内蔵する必要はなく、入力部１８に入力操作を行うときに操作者が身に付ける指輪や名札などに取り付けても良い。ＲＦＩＤタグ部１０８は、本発明の端末情報記憶手段である。
【００３５】
図３は、本発明の実施形態に係る第２の情報端末装置２の内部構成の一例を示すブロック図である。
【００３６】
第２の情報端末装置２は、全体を制御するＣＰＵ２１１、ユーザが入力と操作を行う入力部２１８、無線ＬＡＮなどで通信を行う送信部２２４と受信部２２５を備えた通信部２１０などから構成されている。また、第２の情報端末装置２は、画像や文字を表示する表示部２１９、および図示せぬＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）などから構成される記憶部２１３を備えている。
【００３７】
記憶部２１３は、例えばＯＳ（オペレーティングシステム）、制御用プログラム、文書作成アプリケーション等のプログラムを記憶しており、ＣＰＵ２１１がこれらのプログラムを実行する。また、記憶部２１３は、コピー＆ペーストをする際に入力部２１８により指定された領域の文書、画像などの各種データやストロークデータなどを記憶するクリップバッファ２１５を備えている。クリップバッファ２１５は第１の情報端末装置１毎に設けられており、図３の例では情報端末装置１ａ、情報端末装置１ｂに対応するクリップバッファ２１５ａ、クリップバッファ２１５ｂの２つが設けられている。このクリップバッファ２１５は、プログラムの実行により記憶部２１３に設定されるものである。
【００３８】
さらに、記憶部２１３は、第１の情報端末装置１が固有に備える識別情報とＩＰアドレスなどのデータの送信先を設定するためのデータを関連づけた端末データベース２１７を備えている。クリップバッファ２１５は本発明の第２クリップバッファである。
【００３９】
ＣＰＵ２１１は、送信要求信号受信部２５０、データ送信部２５１、送信要求信号送信部２５２、データ受信部２５３、ペースト部２５４、端末情報読み取り部２２２、操作検知部２５５としての機能を実現する。なお、これらの機能ブロックはＣＰＵ１１によるプログラムの実行によって実現されるものである。
【００４０】
端末情報読み取り部２２２は本発明の端末情報取得手段、ペースト部２５４は本発明の第２のペースト手段、データ受信部２５３は本発明の第２のデータ受信手段、送信要求信号送信部２５２は本発明の送信要求信号送信手段である。
【００４１】
送信要求信号受信部２５０は、クリップバッファ２１５のデータの送信を要求する送信要求信号を受信する。データ送信部２５１は、クリップバッファ２１５のデータを送信する。送信要求信号送信部２５２は、ペーストするデータの送信を要求する送信要求信号を送信部２２４から送信する。
【００４２】
データ受信部２５３は、受信部２２５を介してペーストするデータを受信する。操作検知部２５５は、入力部２１８の出力する信号からユーザの各種操作を検知する。ペースト部２５４は、データ受信部２５３が受信したデータを操作検知部２５５の検知した入力操作に基づいて指定された個所にペーストする。
【００４３】
端末情報読み取り部２２２は、ＲＦＩＤリーダ部２０７に指令してＲＦＩＤタグ部１０８から非接触で端末情報を読みとる。
【００４４】
次に、ＲＦＩＤリーダ部２０７、ＲＦＩＤタグ部１０８について説明する。
【００４５】
図４は、本発明の実施形態に係るＲＦＩＤリーダ部２０７の内部構成の一例を示すブロック図である。ＲＦＩＤリーダ部２０７は第２の情報端末装置２に内蔵されている。
【００４６】
ＲＦＩＤリーダ部２０７は、ＲＦＩＤタグ部１０８に対して電波を送信するための送信アンテナ部３０１と、送信アンテナ部３０１から送信する電波の変調を行うための変調回路３０２と、を備えている。変調回路３０２と送信アンテナ部３０１の間にはＲＦＩＤタグ部１０８への電力供給を行う電源３０７が接続されている。
【００４７】
また、ＲＦＩＤタグ部１０８から送られてくる電波を受信するための受信アンテナ部３０３と、受信アンテナ部３０３より受信した信号を復調するための復調回路３０４を備えている。さらに、送信アンテナ部３０１、変調回路３０２、受信アンテナ部３０３及び復調回路３０４を制御するための制御部３０５と、ＣＰＵ２１１との通信を行うＩ／Ｆ部３０６とを備えている。
【００４８】
制御部３０５は、外部からの指示により変調回路３０２を用いてＲＦＩＤタグ部１０８へ電力を供給するための電波及び送信するデータを変調して、送信アンテナ部３０１より外部へ電波を送信する。また、制御部３０５は、外部より受信した電波信号を受信アンテナ部３０３で受信して、復調回路３０４によって復調した後、復調された信号をデータ信号として扱えるように変換することが可能である。
【００４９】
図５は、本発明の実施形態に係るＲＦＩＤタグ部１０８の概略構成を示したブロック図である。
【００５０】
ＲＦＩＤタグ部１０８は、メモリ４０１と、電波を送受信するためのアンテナ部４０２と、共振コンデンサ部４０３と、電源の整流・平滑を行うための電力形成部４０４と、電波の変調及び復調を行うための復変調部４０５と、制御部４０６とから構成される。
【００５１】
ＲＦＩＤタグ部１０８はパッシブ方式のＲＦＩＤタグであり、ＲＦＩＤリーダ部２０７が発信する電力波を受信して、該電波から得た電力により、不揮発性メモリ４０１の情報を読み出して発信する。このように、パッシブ方式のＲＦＩＤタグを用いると、ＲＦＩＤリーダ部２０７の電波の到達距離範囲内（例えば数ｃｍ以内）でしかＲＦＩＤタグ部１０８が作動しない。また、ＲＦＩＤタグ部１０８が不揮発性メモリ４０１の情報を発信する電波も微弱であり、情報漏洩のおそれが少ない、セキュリティの高い情報交換を実現できる。
【００５２】
なお、ＲＦＩＤタグ部１０８はパッシブ方式のＲＦＩＤタグに限定されるものではなく、アクティブ方式のＲＦＩＤタグを用いることもできる。
【００５３】
アンテナ部４０２は、共振コンデンサ４０３と組み合わされ、共振回路を構成する。この共振回路がＲＦＩＤタグ部１０８に電力を供給するためにＲＦＩＤリーダ部２０７から送られてくる電波信号を受信すると、該電波信号を電力形成部４０４へ供給し、電力形成部４０４はＲＦＩＤタグ部１０８を動作させるための電力を取得できる。電力形成部４０４は取得した電力を不揮発性メモリ４０１や、復変調回路４０５へ供給する。
【００５４】
制御部４０６は、不揮発性メモリ４０１に記憶されたプログラムに従って、復変調回路４０５や電力形成部４０４の制御を行う、即ちＲＦＩＤタグ部１０８の制御を行う。
【００５５】
アンテナ部４０２は、ＲＦＩＤタグ部１０８に電力を供給するためにＲＦＩＤリーダ部２０７から送られてくる電波信号とあわせて、ＲＦＩＤタグ部１０８から読み出す、又は書き込むためのデータも同時に送受信する。制御部４０６によって、不揮発性メモリ４０１から読み出された端末情報のデータは、復変調回路４０５によって信号として変調され、この変調された信号はアンテナ部４０２から電波信号としてＲＦＩＤリーダ部２０７に送信される。
【００５６】
図６は本発明の実施形態において、第１の情報端末装置１の画面上の指定した領域のデータをコピーし、第２の情報端末装置２にデータを送信するコピールーチンの手順を説明するフローチャートである。
【００５７】
Ｓ１０１：コピー範囲を指定するステップである。
【００５８】
ユーザは、表示部１９に表示されている画面のコピーする範囲を、入力部１８を操作することにより指定する。コピーするデータが手書きによるストロークデータの場合は、入力部１８を操作することにより手書きする期間を指定し、その間のストロークデータをコピー範囲とする。
【００５９】
Ｓ１０２：コピーボタン３４をＯＮにする操作を待つステップである。
【００６０】
ユーザは、入力部１８を操作して表示部１９に表示されているコピーボタン３４をタップする。
【００６１】
操作検知部５５は、コピーボタン３４がタップされたことを検知した場合（ステップＳ１０２；Ｙｅｓ）、ステップＳ１０３に進む。
【００６２】
操作検知部５５は、コピーボタン３４がタップされたことを検知しない場合（ステップＳ１０２；Ｎｏ）、ステップＳ１０２に戻る。なお、タイムアウトの時間を経過した場合は、タイムアウトと判定し、表示部１９に警告を表示して終了する。
【００６３】
Ｓ１０３：ステップ１０１で指定したデータをクリップバッファ１５にコピーするステップである。
【００６４】
操作検知部５５は、ステップ１０１で指定したデータをクリップバッファ１５にコピーし、コピーデータとする。クリップバッファ１５には、選択された範囲のデータの形態に従って、文字列や画像やベクトル描画データなどの形式のデータが保存される。
【００６５】
Ｓ１０４：送信要求信号受信部５０が送信要求信号を受信するまで待機するステップである。
【００６６】
送信要求信号受信部５０が送信要求信号を受信した場合（ステップＳ１０４；Ｙｅｓ）、ステップＳ１０５に進む。
【００６７】
送信要求信号受信部５０が送信要求信号を受信しない場合（ステップＳ１０４；Ｎｏ）、ステップＳ１０４に戻る。なお、タイムアウトの時間を経過した場合は、タイムアウトと判定し、表示部１９に警告を表示して終了する。
【００６８】
Ｓ１０５：クリップバッファ１５にコピーしたデータを送信するステップである。
【００６９】
データ送信部５１は、クリップバッファ１５にコピーしたコピーデータを、送信要求信号を送信した第２の情報端末装置２に送信する。
【００７０】
以上で、実施形態のコピールーチンの説明は終了である。
【００７１】
次に、第１の情報端末装置１の画面上でコピーしたデータを、第２の情報端末装置２の画面上の指定した位置にペーストする手順を説明する。
【００７２】
図７は本発明の実施形態において、第１の情報端末装置１の画面上でコピーしたコピーデータを、第２の情報端末装置２の画面上の指定した位置にペーストするペーストルーチンの手順を説明するフローチャートである。
【００７３】
Ｓ２０１：ペースト位置を指定するステップである。
【００７４】
ユーザは、入力部２１８をタップするなどの操作を行って、第１の情報端末装置１でコピーしたコピーデータをペーストする位置を指定する。
【００７５】
Ｓ２０２：ペーストボタン２３５をＯＮにする操作を待つステップである。
【００７６】
ユーザは、表示部２１９に表示されているペーストボタン２３５に相当する位置の入力部２１８をタップする。
【００７７】
操作検知部２５５は、ペーストボタン２３５がタップされたことを検知した場合（ステップＳ２０２；Ｙｅｓ）、ステップＳ２０３に進む。
【００７８】
操作検知部２５５は、ペーストボタン２３５がタップされたことを検知しない場合（ステップＳ２０２；Ｎｏ）、ステップＳ２０２に戻る。なお、タイムアウトの時間を経過した場合は、タイムアウトと判定し、表示部２１９に警告を表示して終了する。
【００７９】
Ｓ２０３：端末情報を読みとるステップである。
【００８０】
端末情報読み取り部２２２は、ＲＦＩＤリーダ部２０７に指令し、送信アンテナ部３０１より外部へ電波を送信し、ＲＦＩＤリーダ部２０７と電波の送受信が可能な位置にあるＲＦＩＤタグ部１０８から端末情報を受信する。
【００８１】
ＲＦＩＤタグ部１０８は、ステップＳ２０２でペーストボタン２３５をタップした際に端末情報読み取り部２２２がＲＦＩＤタグ部１０８の端末情報を読みとれる位置にある必要があり、スタイラスペン３０に内蔵しておくと使い勝手が良い。この場合、第１の情報端末装置１と対応するスタイラスペン３０で操作すれば、その情報端末装置１の端末情報が端末情報読み取り部２２２に読み取られることになる。
【００８２】
Ｓ２０４：送信要求信号を送信する送信先を設定するステップである。
【００８３】
送信要求信号送信部２５２は、ステップＳ２０３で取得した端末情報を端末データベース２１７に照会し、送信要求信号を送信する送信先の情報、例えばＩＰアドレスなどを設定する。
【００８４】
Ｓ２０５：送信要求信号を送信するステップである。
【００８５】
送信要求信号送信部２５２は、ステップＳ２０４で設定した送信先に送信要求信号を送信部２２４から送信する。
【００８６】
Ｓ２０６：データを受信するステップである。
【００８７】
データ受信部２５３は、送信要求信号を送信した第１の情報端末装置１からコピーデータを受信しクリップバッファ２１５に一時記憶する。
【００８８】
Ｓ２０７：受信したデータをペーストするステップである。
【００８９】
ペースト部２５４は、クリップバッファ２１５に一時記憶したコピーデータをステップＳ２０１で指定されたペースト位置にペーストする。
【００９０】
以上で、実施形態のペーストルーチンの説明は終了である。
【００９１】
このように、ペーストボタン２３５をタップすると第１の情報端末装置１でコピーされたコピーデータが第２の情報端末装置２に送信され、第２の情報端末装置２の指定した個所にペーストされるので、簡単な操作でセキュリティレベルを保ったままデータのコピー、ペーストができる。特に、表示部１９、表示部２１９がタッチパネルであり、ＲＦＩＤタグ部１０８を内蔵したスタイラスペン３０で操作を行うと、コピー、ペーストの一連の操作で自動的にデータの送信先が設定されるので使い勝手が良い情報端末システムを構成できる。また、パッシブ型のＲＦＩＤタグを用いれば電池交換が不要であり、長期間に亘り使用することができる。
【００９２】
次に、第２の情報端末装置２の画面上の指定した領域のデータをコピーし第１の情報端末装置１にデータを送信する実施形態の手順について説明する。
【００９３】
図８は実施形態において、第２の情報端末装置２の画面上の指定した領域のデータをコピーし第１の情報端末装置１にデータを送信するコピールーチンの手順を説明するフローチャートである。
【００９４】
Ｓ３０１：コピー範囲を指定するステップである。
【００９５】
ユーザは、表示部２１９に表示されている画面のコピーする範囲を、入力部２１８を操作することにより指定する。コピーするデータが手書きによるストロークデータの場合は、入力部２１８を操作することにより手書きする期間を指定し、その間のストロークデータをコピー範囲とする。
【００９６】
Ｓ３０２：コピーボタン２３４をＯＮにする操作を待つステップである。
【００９７】
ユーザは、入力部２１８を操作して表示部２１９に表示されているコピーボタン２３４をタップする。
【００９８】
操作検知部２５５は、コピーボタン２３４がタップされたことを検知した場合（ステップＳ３０２；Ｙｅｓ）、ステップＳ３０３に進む。
【００９９】
操作検知部２５５は、コピーボタン２３４がタップされたことを検知しない場合（ステップＳ３０２；Ｎｏ）、ステップＳ３０２に戻る。なお、タイムアウトの時間を経過した場合は、タイムアウトと判定し、表示部２１９に警告を表示して終了する。
【０１００】
Ｓ３０３：端末情報を読みとるステップである。
【０１０１】
端末情報読み取り部２２２は、ＲＦＩＤリーダ部２０７に指令し、送信アンテナ部３０１より外部へ電波を送信し、ＲＦＩＤリーダ部２０７と電波の送受信が可能な位置にあるＲＦＩＤタグ部１０８から端末情報を受信する。
【０１０２】
Ｓ３０４：データを送信する送信先を設定するステップである。
【０１０３】
データ送信部２５１は、ステップＳ３０３で取得した端末情報を端末データベース２１７に照会し、データを送信する送信先の情報、例えばＩＰアドレスなどを設定する。
【０１０４】
Ｓ３０５：ステップ３０１で指定したデータをクリップバッファ２１５にコピーするステップである。
【０１０５】
ＣＰＵ２１１は、ステップＳ３０３で取得した端末情報から対応するクリップバッファ２１５、例えばクリップバッファ２１５ａにステップ３０１で指定したデータをコピーし、コピーデータとする。
【０１０６】
Ｓ３０６：クリップバッファ２１５にコピーしたデータを送信するステップである。
【０１０７】
データ送信部２５１は、例えばクリップバッファ２１５ａにコピーしたコピーデータをステップＳ３０４で設定した第１の情報端末装置１に送信する。
【０１０８】
第１の情報端末装置１のデータ受信の準備ができていない場合は、タイムアウト時間までの間、第１の情報端末装置１がデータ受信できるまで繰り返し送信する。
【０１０９】
以上で、実施形態のコピールーチンの説明は終了である。
【０１１０】
次に、第２の情報端末装置２の画面上でコピーしたコピーデータを、第１の情報端末装置１の画面上の指定した位置にペーストする手順を説明する。
【０１１１】
図９は実施形態において、第２の情報端末装置２の画面上でコピーしたコピーデータを、第１の情報端末装置１の画面上の指定した位置にペーストするペーストルーチンの手順を説明するフローチャートである。
【０１１２】
Ｓ４０１：ペースト位置を指定するステップである。
【０１１３】
ユーザは、入力部１８をタップするなどの操作を行って、第２の情報端末装置２でコピーしたコピーデータをペーストする位置を指定する。
【０１１４】
Ｓ４０２：データを受信するステップである。
【０１１５】
データ受信部５３は、第２の情報端末装置２からコピーデータを受信する。なお、Ｓ４０１とＳ４０２の順番はどちらが先であっても構わない。
【０１１６】
Ｓ４０３：ペーストボタン３５をＯＮにするステップである。
【０１１７】
ユーザは、表示部１９に表示されているペーストボタン３５に相当する位置の入力部１８をタップする。
【０１１８】
操作検知部５５は、ペーストボタン３５がタップされたことを検知した場合（ステップＳ４０３；Ｙｅｓ）、ステップＳ４０３に進む。
【０１１９】
操作検知部５５は、ペーストボタン３５がタップされたことを検知しない場合（ステップＳ４０３；Ｎｏ）、ステップＳ４０２に戻る。なお、タイムアウトの時間を経過した場合は、タイムアウトと判定し、表示部１９に警告を表示して終了する。
【０１２０】
Ｓ４０４：受信したコピーデータをペーストするステップである。
【０１２１】
ペースト部５４は、ステップＳ４０２で受信したコピーデータをステップＳ４０１で指定されたペースト位置にペーストする。
【０１２２】
以上で、実施形態のペーストルーチンの説明は終了である。
【０１２３】
このように、コピーボタン２３４をタップすると第２の情報端末装置２でコピーされたコピーデータが第１の情報端末装置１に送信され、第１の情報端末装置１の指定した個所にペーストされる。特に、表示部１９、表示部２１９がタッチパネルであり、ＲＦＩＤタグ部１０８を内蔵したスタイラスペン３０で操作を行うと、コピー、ペーストの一連の操作で自動的にデータの送信先が設定されるので使い勝手が良い情報端末システムを構成できる。
【０１２４】
なお、実施形態では、コピーボタン２３４をＯＮにするとコピーしたコピーデータを端末情報を取得した第１の情報端末装置１にすぐに送信しているが、第１の情報端末装置１のペーストボタン３５がタップされたことを検知してから送信するようにしても良い。例えば次のようなステップを追加することにより実現できる。
【０１２５】
第１の情報端末装置１は、ステップＳ４０２の後、次のステップＳ４１０を実行する。
【０１２６】
Ｓ４１０：送信要求信号送信部５２は送信要求信号を第２の情報端末装置２に送信する。
【０１２７】
第２の情報端末装置２は、ステップＳ３０５の後、次のステップＳ３１０を実行する。
【０１２８】
Ｓ３１０：送信要求信号受信部５０が送信要求信号を受信するまで待機する。
【０１２９】
次に、第１の参考例について説明する。
【０１３０】
図１０は、本発明の第１の参考例に係る情報端末システムの全体構成の一例を示すブロック図、図１１は、本発明の第１の参考例に係る第２の情報端末装置２の内部構成の一例を示すブロック図である。
【０１３１】
図１０に示す情報端末システムと図１で説明した情報端末システムとの違いは、第２の情報端末装置２が無線通信により直接第１の情報端末装置１と通信する点である。実施形態では、第２の情報端末装置２にＲＦＩＤリーダ部２０７を設け、ＲＦＩＤタグ部１０８から端末情報を読みとってデータを送受信する第１の情報端末装置１を特定した。本実施形態では、第１の情報端末装置１と第２の情報端末装置２は無線で通信し、第２の情報端末装置２が通信に用いる無線信号の電波強度を測定することによりデータを送受信する第１の情報端末装置１を特定する。このようにすることによりＲＦＩＤタグ部１０８を内蔵したスタイラスペン３０などを用いなくても、第１の情報端末装置１の特定が可能になる。
【０１３２】
以下、図１１について説明するが、図３で説明した第２の情報端末装置２の内部構成と同じ構成要素には同番号を付し説明を省略する。
【０１３３】
通信部２１０の送信部２２４と受信部２２５は、無線ＬＡＮやＵＷＢ（Ｕｌｔｒａ  Ｗｉｄｅ  Ｂａｎｄ）などで第１の情報端末装置１と通信を行う。無線信号レベル測定部２８０は、受信部２２５が受信した電波強度を測定する。
【０１３４】
次に、本発明の第１の参考例において第１の情報端末装置１の画面上でコピーしたデータを、第２の情報端末装置２の画面上の指定した位置にペーストする手順を説明する。
【０１３５】
図１２は本発明の第１の参考例において、第１の情報端末装置１の画面上でコピーしたコピーデータを、第２の情報端末装置２の画面上の指定した位置にペーストするペーストルーチンの手順を説明するフローチャートである。図７と同じステップには同番号を付し説明を省略する。なお、第１の情報端末装置１のコピールーチンの手順は図６と同じであり説明を省略する。
【０１３６】
Ｓ２０１：ペースト位置を指定するステップである。
【０１３７】
ユーザは、入力部１８をタップするなどの操作を行って、第１の情報端末装置１でコピーしたデータをペーストする位置を指定する。
【０１３８】
Ｓ２０２：ペーストボタン２３５をＯＮにする操作を待つステップである。
【０１３９】
ユーザは、表示部２１９に表示されているペーストボタン２３５に相当する位置の入力部２１８をタップする。
【０１４０】
操作検知部２５５は、ペーストボタン２３５がタップされたことを検知した場合（ステップＳ２０２；Ｙｅｓ）、ステップＳ６０３に進む。
【０１４１】
操作検知部２５５は、ペーストボタン２３５がタップされたことを検知しない場合（ステップＳ２０２；Ｎｏ）、ステップＳ２０２に戻る。なお、タイムアウトの時間を経過した場合は、タイムアウトと判定し、表示部２１９に警告を表示して終了する。
【０１４２】
Ｓ６０３：電波強度を測定するステップである。
【０１４３】
無線信号レベル測定部２８０は、受信部２２５が受信している電波強度を測定する。
【０１４４】
Ｓ６０４：データを送信する送信先を設定するステップである。
【０１４５】
データ送信部２５１は、端末データベース２１７を参照し無線信号レベル測定部２８０が測定した電波強度と受信部２２５が受信した信号から最も電波強度が高い第１の情報端末装置１を特定し、データを送信する送信先の情報、例えばＩＰアドレスなどを設定する。
【０１４６】
Ｓ２０５：送信要求信号を送信するステップである。
【０１４７】
送信要求信号送信部２５２は、ステップＳ６０４で設定した送信先に送信要求信号を送信部２２４から送信する。
【０１４８】
Ｓ２０６：データを受信するステップである。
【０１４９】
データ受信部２５３は、送信要求信号を送信した第１の情報端末装置１からコピーデータを受信しクリップバッファ２１５に一時記憶する。
【０１５０】
Ｓ２０７：受信したデータをペーストするステップである。
【０１５１】
ペースト部２５４は、クリップバッファ２１５に一時記憶したコピーデータをステップＳ２０１で指定されたペースト位置にペーストする。
【０１５２】
以上で、第１の参考例のペーストルーチンの説明は終了である。
【０１５３】
このようには第１の参考例では、第１の情報端末装置１と第２の情報端末装置２は無線で通信し、通信に用いる無線信号の電波強度を測定することによりデータを送受信する第１の情報端末装置１を特定する。したがって、簡単な操作でセキュリティレベルを保ったままデータのコピー、ペーストができる。
【０１５４】
次に、第２の情報端末装置２の指定した範囲のデータをコピーし第１の情報端末装置１にコピーデータを送信する第２の参考例の形態の手順について説明する。
【０１５５】
図１３は第２の参考例の形態において、第２の情報端末装置２の指定した範囲のデータをコピーし第１の情報端末装置１にコピーデータを送信するコピールーチンの手順を説明するフローチャートである。
【０１５６】
Ｓ３０１：コピー範囲を指定するステップである。
【０１５７】
ユーザは、表示部２１９に表示されている画面のコピーする範囲を、入力部２１８を操作することにより指定する。コピーするデータが手書きによるストロークデータの場合は、入力部２１８を操作することにより手書きする期間を指定し、その間のストロークデータをコピー範囲とする。
【０１５８】
Ｓ３０２：コピーボタン２３４をＯＮにする操作を待つステップである。
【０１５９】
ユーザは、入力部２１８を操作して表示部２１９に表示されているコピーボタン２３４をタップする。
【０１６０】
操作検知部２５５は、コピーボタン２３４がタップされたことを検知した場合（ステップＳ３０２；Ｙｅｓ）、ステップＳ６０３に進む。
【０１６１】
操作検知部２５５は、コピーボタン２３４がタップされたことを検知しない場合（ステップＳ３０２；Ｎｏ）、ステップＳ３０２に戻る。なお、タイムアウトの時間を経過した場合は、タイムアウトと判定し、表示部１９に警告を表示して終了する。
【０１６２】
Ｓ６０３：電波強度を測定するステップである。
【０１６３】
無線信号レベル測定部２８０は、受信部２２５が受信している電波強度を測定する。
【０１６４】
Ｓ６０４：データを送信する送信先を設定するステップである。
【０１６５】
データ送信部２５１は、端末データベース２１７を参照し無線信号レベル測定部２８０が測定した電波強度と受信部２２５が受信した信号から、例えば最も電波強度の強い第１の情報端末装置１を特定し、データを送信する送信先の情報、例えばＩＰアドレスなどを設定する。
【０１６６】
Ｓ３０５：クリップバッファ２１５にステップ３０１で指定したデータをコピーするステップである。
【０１６７】
ＣＰＵ２１１は、ステップＳ６０４で送信先に設定した第１の情報端末装置１に対応するクリップバッファ２１５、例えばクリップバッファ２１５ａにステップ３０１で指定したデータをコピーし、コピーデータとする。
【０１６８】
Ｓ３０６：クリップバッファ２１５にコピーしたデータを送信するステップである。
【０１６９】
データ送信部２５１は、クリップバッファ２１５にコピーしたコピーデータを第１の情報端末装置１に送信する。
【０１７０】
第１の情報端末装置１のデータ受信の準備ができていない場合は、タイムアウト時間までの間、第１の情報端末装置１がデータ受信できるまで繰り返し送信する。
【０１７１】
第２の情報端末装置２の画面上でコピーしたデータを、第１の情報端末装置１の画面上の指定した位置にペーストする手順は、図９で説明したペーストルーチンと同じであり説明を省略する。
【０１７２】
以上で、第２の参考例のコピールーチンの説明は終了である。
【０１７３】
図１４は、第３の参考例に係る第２の情報端末装置２の内部構成の一例を示すブロック図、図１５は、第３の参考例に係る第２の情報端末装置２の表示部２１９に表示される画面の一例である。
【０１７４】
本形態では、図１５のようにデータを送信する第１の情報端末装置１ごとにコピーボタン２３４とペーストボタン２３５を設けている。図１５の例ではコピーボタン２３４ａ、２３４ｂ、２３４ｃとペーストボタン２３５ａ、２３５ｂ、２３５ｃを設け、３つの第１の情報端末装置１ａ、１ｂ、１ｃにそれぞれデータの送信先が予め設定されている。なお３０１は描画した画像の例である。
【０１７５】
クリップバッファ２１５は第１の情報端末装置１毎に設けられており、第１の情報端末装置１と対応するクリップバッファ２１５にデータが記憶される。図１４の例では第１の情報端末装置１ａ、第１の情報端末装置１ｂ、第１の情報端末装置１ｃとクリップバッファ２１５ａ、クリップバッファ２１５ｂ、クリップバッファ２１５ｃがそれぞれ対応している。
【０１７６】
次に、第３の参考例において第２の情報端末装置２の画面上でコピーしたデータを、第１の情報端末装置１の画面上の指定した位置にペーストする手順を説明する。
【０１７７】
図１６は第３の参考例において、第２の情報端末装置２の画面上でコピーしたデータを、第１の情報端末装置１に送信するコピールーチンの手順を説明するフローチャートである。図８と同じステップには同番号を付し説明を省略する。なお、第１の情報端末装置１のペーストルーチンの手順は図９と同じであり説明を省略する。
【０１７８】
Ｓ３０１：コピー範囲を指定するステップである。
【０１７９】
ユーザは、表示部２１９に表示されている画面のコピーする範囲を、入力部２１８を操作することにより指定する。コピーするデータが手書きによるストロークデータの場合は、入力部２１８を操作することにより手書きする期間を指定し、その間のストロークデータをコピー範囲とする。
【０１８０】
Ｓ３５０：コピーボタン２３４をＯＮにする操作を待つステップである。
【０１８１】
ユーザは、表示部２１９に表示されているコピーボタン２３４ａ、２３４ｂ、２３４ｃの何れかに相当する位置の入力部２１８をタップする。
【０１８２】
操作検知部２５５は、コピーボタン２３４ａ、２３４ｂ、２３４ｃの何れかがタップされたことを検知した場合（ステップＳ３５０；Ｙｅｓ）、ステップＳ３５１に進む。
【０１８３】
操作検知部２５５は、コピーボタン２３４ａ、２３４ｂ、２３４ｃの何れかがタップされたことを検知しない場合（ステップＳ３５０；Ｎｏ）、ステップＳ３５０に戻る。なお、タイムアウトの時間を経過した場合は、タイムアウトと判定し、表示部１９に警告を表示して終了する。
【０１８４】
Ｓ３５１：データを送信する送信先を設定するステップである。
【０１８５】
データ送信部２５１は、操作検知部２５５がステップＳ６１０で検知した入力操作から第１の情報端末装置１を特定し、端末データベース２１７に照会してデータを送信する送信先の情報、例えばＩＰアドレスなどを設定する。
【０１８６】
Ｓ３０５：ステップ３０１で指定したデータをクリップバッファ２１５にコピーするステップである。
【０１８７】
ＣＰＵ２１１は、ステップＳ３５０で検知したコピーボタン２３４の情報から対応するクリップバッファ２１５、例えばクリップバッファ２１５ａにステップ３０１で指定したデータをコピーし、コピーデータとする。
【０１８８】
Ｓ３０６：クリップバッファ２１５にコピーしたデータを送信するステップである。
【０１８９】
データ送信部２５１は、例えばクリップバッファ２１５ａにコピーしたコピーデータをステップＳ３５１で設定した第１の情報端末装置１に送信する。
【０１９０】
第１の情報端末装置１のデータ受信の準備ができていない場合は、タイムアウト時間までの間、第１の情報端末装置１がデータ受信できるまで繰り返し送信する。
【０１９１】
以上で、第３の参考例の形態のコピールーチンの説明は終了である。
【０１９２】
このようには第３の参考例の形態では、第１の情報端末装置１に対応するコピーボタン２３４を設け、コピーボタン２３４をタップすることにより対応する第１の情報端末装置１からコピーデータを受信してペーストする。したがって、簡単な操作でセキュリティレベルを保ったままデータのコピー、ペーストができる。
【０１９３】
次に、第３の参考例において第１の情報端末装置１の画面上でコピーしたデータを、第２の情報端末装置２の画面上の指定した位置にペーストする手順を説明する。
【０１９４】
図１５は第３の参考例の形態において、第１の情報端末装置１の画面上でコピーしたデータを、第２の情報端末装置２の画面上の指定した位置にペーストするペーストルーチンの手順を説明するフローチャートである。図７と同じステップには同番号を付し説明を省略する。なお、第１の情報端末装置１のコピールーチンの手順は図６と同じであり説明を省略する。
【０１９５】
Ｓ２０１：ペースト位置を指定するステップである。
【０１９６】
ユーザは、入力部１８をタップするなどの操作を行って、第１の情報端末装置１でコピーしたコピーデータをペーストする位置を指定する。
【０１９７】
Ｓ６１０：ペーストボタン２３５をＯＮにする操作を待つステップである。
【０１９８】
ユーザは、表示部２１９に表示されているペーストボタン２３５ａ、２３５ｂ、２３５ｃの何れかに相当する位置の入力部２１８をタップする。
【０１９９】
操作検知部２５５は、ペーストボタン２３５ａ、２３５ｂ、２３５ｃの何れかがタップされたことを検知した場合（ステップＳ６１０；Ｙｅｓ）、ステップＳ６１１に進む。
【０２００】
操作検知部２５５は、ペーストボタン２３５ａ、２３５ｂ、２３５ｃの何れかがタップされたことを検知しない場合（ステップＳ６１０；Ｎｏ）、ステップＳ６１０に戻る。なお、タイムアウトの時間を経過した場合は、タイムアウトと判定し、表示部１９に警告を表示して終了する。
【０２０１】
Ｓ６１１：送信先を設定するステップである。
【０２０２】
送信要求信号送信部２５２は、操作検知部２５５がステップＳ６１０で検知した入力操作から第１の情報端末装置１を特定し、端末データベース２１７に照会して送信要求信号を送信する送信先の情報、例えばＩＰアドレスなどを設定する。
【０２０３】
Ｓ２０５：送信要求信号を送信するステップである。
【０２０４】
送信要求信号送信部２５２は、ステップＳ６１１で設定した送信先に送信要求信号を送信部２２４から送信する。
【０２０５】
Ｓ２０６：データを受信するステップである。
【０２０６】
データ受信部２５３は、送信要求信号を送信した第１の情報端末装置１からコピーデータを受信しクリップバッファ２１５に一時記憶する。
【０２０７】
Ｓ２０７：受信したデータをペーストするステップである。
【０２０８】
ペースト部２５４は、クリップバッファ２１５に一時記憶したコピーデータをステップＳ２０１で指定されたペースト位置にペーストする。
【０２０９】
以上で、第３の参考例のペーストルーチンの説明は終了である。
【０２１０】
なお、コピーデータを送受信する第１の情報端末装置１が一つの場合は、ペーストボタン２３５は一つで良い。
【０２１１】
このようには第３の参考例では、第１の情報端末装置１に対応するペーストボタン２３５を設け、ペーストボタン２３５をタップすることにより対応する第１の情報端末装置１からコピーデータを受信してペーストする。したがって、簡単な操作でセキュリティレベルを保ったままデータのコピー、ペーストができる。
【０２１２】
以上このように、本発明によれば、構造の複雑化やコストアップを招かず、セキュリティレベルを保ったまま複数の情報端末の間で簡単な操作によりデータのコピー、ペーストができる情報端末システムを提供することができる。
【図面の簡単な説明】
【０２１３】
【図１】本発明の実施形態に係る情報端末システムの全体構成の一例を示すブロック図である。
【図２】本発明の実施形態に係る第１の情報端末装置１の内部構成の一例を示すブロック図である。
【図３】本発明の実施形態に係る第２の情報端末装置２の内部構成の一例を示すブロック図である。
【図４】本発明の実施形態に係るＲＦＩＤリーダ部２０７の内部構成の一例を示すブロック図である。
【図５】本発明の実施形態に係るＲＦＩＤタグ部１０８の概略構成を示したブロック図である。
【図６】本発明の実施形態において、第１の情報端末装置１の画面上の指定した領域のデータをコピーし、第２の情報端末装置２にデータを送信するコピールーチンの手順を説明するフローチャートである。
【図７】本発明の実施形態において、第１の情報端末装置１の画面上でコピーしたデータを、第２の情報端末装置２の画面上の指定した位置にペーストするペーストルーチンの手順を説明するフローチャートである。
【図８】本発明の実施形態において、第２の情報端末装置２の画面上の指定した領域のデータをコピーし第１の情報端末装置１にデータを送信するコピールーチンの手順を説明するフローチャートである。
【図９】本発明の実施形態において、第２の情報端末装置２の画面上でコピーしたデータを、第１の情報端末装置１の画面上の指定した位置にペーストするペーストルーチンの手順を説明するフローチャートである。
【図１０】本発明の第１の参考例に係る情報端末システムの全体構成の一例を示すブロック図である。
【図１１】本発明の第１の参考例に係る第２の情報端末装置２の内部構成の一例を示すブロック図である。
【図１２】本発明の第１の参考例において、第１の情報端末装置１の画面上でコピーしたデータを、第２の情報端末装置２の画面上の指定した位置にペーストするペーストルーチンの手順を説明するフローチャートである。
【図１３】第２の参考例において、第２の情報端末装置２の画面上の指定した領域のデータをコピーし第１の情報端末装置１にデータを送信するコピールーチンの手順を説明するフローチャートである。
【図１４】第３の参考例に係る第２の情報端末装置２の内部構成の一例を示すブロック図である。
【図１５】第３の参考例に係る第２の情報端末装置２の表示部２１９に表示される画面の一例である。
【図１６】第３の参考例において、第２の情報端末装置２の画面上でコピーしたデータを、第１の情報端末装置１に送信するコピールーチンの手順を説明するフローチャートである。
【図１７】第３の参考例の形態において、第１の情報端末装置１の画面上でコピーしたデータを、第２の情報端末装置２の画面上の指定した位置にペーストするペーストルーチンの手順を説明するフローチャートである。
【符号の説明】
【０２１４】
１  第１の情報端末装置
２  第２の情報端末装置
５  ネットワーク
１０  無線通信部
１２  無線アクセスポイント
１３  記憶部
１５  クリップバッファ
１８  入力部
１９  表示部
５０  送信要求信号受信部
５１  データ送信部
５２  送信要求信号送信部
５３  データ受信部
５４  ペースト部
５５  操作検知部
１０８  ＲＦＩＤタグ部
２０７  ＲＦＩＤリーダ部
２１０  通信部
２１３  記憶部
２１５  クリップバッファ
２１７  端末データベース
２１８  入力部
２１９  表示部
２２２  端末情報取得部
２３５  ペーストボタン
２５０  送信要求信号受信部
２５１  データ送信部
２５２  送信要求信号送信部
２５３  データ受信部
２５４  ペースト部
２５５  操作検知部
２８０  無線信号レベル測定部
【図１】
2009230495.tif 000003
【図２】
2009230495.tif 000004
【図３】
2009230495.tif 000005
【図４】
2009230495.tif 000006
【図５】
2009230495.tif 000007
【図６】
2009230495.tif 000008
【図７】
2009230495.tif 000009
【図８】
2009230495.tif 000010
【図９】
2009230495.tif 000011
【図１０】
2009230495.tif 000012
【図１１】
2009230495.tif 000013
【図１２】
2009230495.tif 000014
【図１３】
2009230495.tif 000015
【図１４】
2009230495.tif 000016
【図１５】
2009230495.tif 000017
【図１６】
2009230495.tif 000018
【図１７】
2009230495.tif 000019